(57)【要約】  上ロール状カッタ２と下ロール状カッタ３の間にシート１０を挟み、第１線状切刃４及び第２線状切刃５を直交してシート１０に当接させ、上ロール状カッタ２と下ロール状カッタ３を連動して回転させ、第１線状切刃４及び第２線状切刃５が交差する部位でシート１０に孔９を空ける。
2012096020.tif 000002
【特許請求の範囲】
【請求項１】
第１線状切刃を有する第１カッタと、
第２線状切刃を有する第２カッタと、
前記第１線状切刃及び前記第２線状切刃が交差する状態で被穿孔物を挟んで前記第１カッタ及び前記第２カッタを対向させ、前記第１線状切刃及び前記第２線状切刃を前記被穿孔物に当接させる加圧手段とを備えた
ことを特徴とする穿孔装置。
【請求項２】
請求項１に記載の穿孔装置において、
前記第１カッタ及び前記第２カッタはロール状であり、前記第１カッタの周面に前記第１線状切刃が設けられると共に前記第２カッタの周面に前記第２線状切刃が設けられ、
前記加圧手段は、
前記第１カッタ及び前記第２カッタの軸間距離を接近させる押圧手段と、
前記被穿孔物を挟んで前記第１線状切刃及び前記第２線状切刃が当接する状態で前記第１カッタ及び前記第２カッタを連動して回転させる回転手段とからなる
ことを特徴とする穿孔装置。
【請求項３】
請求項２に記載の穿孔装置において、
前記第１カッタの前記第１線状切刃は、周面の周方向に連続して設けられ、
前記第２カッタの前記第２線状切刃は、周面の軸方向に延びて設けられている
ことを特徴とする穿孔装置。
【請求項４】
請求項３に記載の穿孔装置において、
前記第１線状切刃は、軸方向に複数設けられ、
前記第２線状切刃は、周方向に複数設けられている
ことを特徴とする穿孔装置。
【請求項５】
請求項１に記載の穿孔装置において、
前記第１カッタには前記第１線状切刃が平面状に設けられると共に、前記第２カッタには前記第２線状切刃が平面状に設けられ、
前記加圧手段は、
前記第１線状切刃及び前記第２線状切刃の距離を接近させるように前記第１カッタ及び前記第２カッタを相対的に移動させる押圧手段からなる
ことを特徴とする穿孔装置。
【請求項６】
請求項１に記載の穿孔装置において、
前記第１カッタには、前記第１線状切刃が３次元形状の凹状に設けられ、
前記第２カッタには、前記第１線状切刃の凹状に対応した３次元形状の凸状に設けられ、
前記加圧手段は、
前記第１線状切刃及び前記第２線状切刃の距離を接近させるように前記第１カッタ及び前記第２カッタを相対的に移動させる押圧手段からなる
ことを特徴とする穿孔装置。
【請求項７】
互いに交差する線状切刃の間に被穿孔物を挟み、線状切刃の交点を前記被穿孔物に当接させて孔を形成することを特徴とする穿孔方法。
【請求項８】
請求項１から請求項６のいずれか一項に記載の穿孔装置により孔が形成された被穿孔物。
【請求項９】
シート材の表面及び裏面に、互いに交差する方向に延びる刃跡が形成され、前記刃跡の交点が穿孔されていることを特徴とする被穿孔物。
【発明の詳細な説明】
【技術分野】
【０００１】
本発明は、被穿孔物（シート等）に細孔を穿設する穿孔装置及び穿孔方法に関し、孔径の経時変化を抑制することができ、被穿孔物の表裏とも凹凸がない状態で略平滑に穿設することができ、また、加工熱による孔周囲の変質や熔融固着と有害ガスの発生のない孔を穿設することができるようにしたものである。【０００２】
また、本発明は、孔径の経時変化が抑制され、表裏とも凹凸がない状態で略平滑に穿設され、また、加工熱による孔周囲の変質や熔融固着と有害ガスの発生のない状態で孔が穿設された被穿孔物に関する。
【背景技術】
【０００３】
シート状の紙・繊維、プラスチックフィルム、金属箔等の単体、または、それらの積層加工物の一部や全体に、おおむね孔径１０００μｍ以下の細孔を規則的に、もしくは、不規則に穿設したものは、穿孔シートや有孔シート（特にプラスチックフィルムの場合は穿孔フィルムや有孔フィルム）等と称されている。穿孔シートは、孔径や開孔率により透気性・通気性・通液性・易裂性（道具なしで指先のみで容易に切断し得る性質）等の機能が与えられ、種々の用途に応用されていることは公知である。【０００４】
従来、シートに細孔を穿設する技術として種々の技術が提案されている。孔形状の均一性を有し実用に供する程度の生産性を両立させた加工技術として、針ロール法、レーザー法、プレス法が知られている。【０００５】
針ロール法の典型例として、ロール表面に多数の穿孔針を設けた植針ロールと、その針先が表層部に針入するように設置された弾性対向ロールを同期回転させた工程に、シートを挿入通過させることにより穿設するものが知られている（例えば、特許文献１参照)。特許文献１に開示された技術は、シートに針を加圧接触させることにより針先を貫通させて穿孔するものである。【０００６】
しかし、針ロール法で、例えば、金属箔のような可塑性体のシートに穿孔を施した場合、主として対向ロール側の貫通孔周囲に、穿孔容積分の鋸状円環のへり（通常これを「バリ」と称する）が形成され、外観を損なうことになっていた。また、シートの嵩張りや、シート積層時の密着性の低下、更には、バリの剥落による異物混入の原因となる等の問題が生じていた。シートが可塑性体ではなく弾性体の場合は、穿孔は圧縮変形により形成されるため、抜針後に孔周囲は圧縮解放され、経時的に孔径は縮小し、場合によっては閉孔して所期の機能が変動してしまうという問題があった。【０００７】
この問題を解決するため、単に常温下で機械的に針孔を形成する以外に、針先を加熱して熱針によりシートに熔融穿孔し、孔径を固定させる提案もなされている（例えば、特許文献２、３参照）。しかしながら、熱針により穿孔を行うためには、シートが熱可塑性樹脂である場合に限られ、それ以外の材質のシートには適用することができない。【０００８】
また、シートが熱可塑性樹脂であっても、機械的穿孔に熱作用を加えたこの方法により孔径の経時的な安定性を得ることができるが、穿孔工程の際に液状化した熔融樹脂が抜針時の針の挙動に応じて環状突起となり、熱針ロール側に突出し固着してしまう。【０００９】
このため、可塑性体におけるバリと同様に、嵩張り、積層密着性の低下、突起物剥落による異物混入等の問題が生じる。更に、穿孔樹脂フィルムの用途である皮膚接着性包帯・緋創膏等に適用すると、装用時の異物感が生じ、易裂性目的のシートに適用すると、易裂機能が低下する等、別の問題が生じる。また、樹脂の熔融に伴い有害ガスが発生し、作業場の安全衛生確保と環境保全で不利になってしまう。【００１０】
レーザー光を照射するレーザー法は、光エネルギーの集中による熱加工により穿孔を行うものであり、熱影響の短所として高密度穿孔を行うことが困難であるため、それを回避する提案がされている（例えば、特許文献４参照）。【００１１】
しかし、レーザー加工は、熱可塑性樹脂フィルム等のシートの場合は、局所熔融で穿孔を実施し、紙や金属箔等のシートの場合は、局所燃焼により穿孔を実施するものであるから、穿孔された孔の周囲及び貫通孔の内壁面の熱によりシートの変質や孔の固着は避けられず、熱針ロールを用いた時と類似の問題がある。【００１２】
また、機械的手段を併用しない熔融・燃焼のみによる加工であるため、熱針ロールを用いた時と同等またはそれ以上に有害ガスが発生してしまう。更に、厚いシートの場合、断面方向での光の拡散現象により、孔の径が射入面から射出面へ向かって漸増してしまい、表裏に同径の孔を穿設することができない。【００１３】
一方、プレス法は、パンチ（凸型）とダイ（凹型）の組合せによる剪断加工であり、剪断部を完全に抜き落としてしまうので孔径の変化がなく、熱に起因する諸問題もない。しかし、凹凸型の微細化には限度があり、凹凸型の組合せの精度を維持することが困難であることから、穿孔される孔の分布が密であったり、２００μｍに満たない孔径であると、適用が困難であった。また、穿孔対象物（シート）が薄かったり、可塑性体でなく弾性体である場合等にも技術的な制約から適用が困難であった。更に、微小バリ（カエリ）の発生や、微細で高精度の金型の製作に要す多大の労力とコスト等の問題がある。【００１４】
シートに細孔を穿設する針ロール法、レーザー法、プレス法の諸問題のうち、バリ・カエリや環状突起、孔径の相違等々は要するにシート表裏両面における孔状態の非対称性であって、「表から裏」と「裏から表」を比較した場合、通気や通液に差が生じてアンバランスは免れない。これは、何れの加工法においても、針貫通、光エネルギー照射、パンチ嵌合等、穿孔力の伝播のプロセスが、シートの一方の面から開始され他方の面に到達して完了する、というシートをはさんだ穿孔加工の原理的非対称性が起因となっている。
【先行技術文献】
【特許文献】
【００１５】
【特許文献１】特表平１１−５０８８３０号公報
【特許文献２】特開昭５２−１７５８８号公報
【特許文献３】特開平６−２３８５９７号公報
【特許文献４】特開２００１−７９６７７号公報
【発明の概要】
【発明が解決しようとする課題】
【００１６】
本発明は上記状況に鑑みてなされたもので、孔の状態の経時変化が抑制され、表裏ともに凹凸なく平滑に、加工熱による孔の周囲の変質や溶融固着が生じることがなく、有害ガスを発生させることなく、被穿孔物に対して穿孔を施すことができる穿孔装置及び穿孔方法を提供することを目的とする。【００１７】
また、本発明は上記状況に鑑みてなされたもので、孔の状態の経時変化が抑制され、表裏ともに凹凸なく平滑に、加工熱による孔の周囲の変質や溶融固着が生じることがなく、有害ガスを発生させることなく、被穿孔物に対して穿孔が施された状態の被穿孔物を提供することを目的とする。
【課題を解決するための手段】
【００１８】
上記目的を達成するための請求項１に係る本発明の穿孔装置は、第１線状切刃を有する第１カッタと、第２線状切刃を有する第２カッタと、前記第１線状切刃及び前記第２線状切刃が交差する状態で被穿孔物を挟んで前記第１カッタ及び前記第２カッタを対向させ、前記第１線状切刃及び前記第２線状切刃を前記被穿孔物に当接させる加圧手段とを備えたことを特徴とする。【００１９】
請求項１に係る本発明では、加圧手段により第１線状切刃及び第２線状切刃を交差する状態で被穿孔物に当接させることで、第１線状切刃及び第２線状切刃の交点で被穿孔物に孔が空けられる。このため、孔の形状の経時変化が抑制され、表裏ともに凹凸なく平滑に、加工熱による孔の周囲の変質や溶融固着が生じることがなく、有害ガスを発生させることなく、被穿孔物に対して穿孔を施すことができる。【００２０】
第１線状切刃及び第２線状切刃は、針先のような点状態の刃が連続したものであり、連続する方向は直線状でも曲線状でもよく、任意の方向に連続したものを適用することができる。また、第１線状切刃及び第２線状切刃は、断続して直線状でも曲線状に連続させることもできる。また、第１線状切刃及び第２線状切刃は、断面が鋭角状の刃物及び断面が凸状にされたものを含み、被穿孔物に当接することで切刃に加圧力が集中する形状が含まれる。【００２１】
また、被穿孔物に空けられる孔は、それ自体の形状が円形であるものに限らず、種々の形状が含まれる。また、第１線状切刃及び第２線状切刃の交差角度は、直交をはじめとして任意の交差角度に設定することができる。被穿孔物に第１線状切刃及び第２線状切刃が当接して被穿孔物に孔が空けられる場合、第１線状切刃及び第２線状切刃が互いに当接するように加圧されたり、被穿孔物の厚さ等により第１線状切刃及び第２線状切刃が互いに隙間（逃げ）を持った状態で加圧される。【００２２】
また、第１線状切刃及び第２線状切刃の幅は同一もしくは異なる幅のいずれも適用することができる。被穿孔物としては、種々の厚さのシート状のものや、シートを多数積層したもの、３次元形状のもの等が適用される。そして、第１線状切刃及び第２線状切刃を当接させる際に、被穿孔物の材質や空けられる孔の目的により第１線状切刃及び第２線状切刃を加熱することもできる。【００２３】
そして、請求項２に係る本発明の穿孔装置は、請求項１に記載の穿孔装置において、前記第１カッタ及び前記第２カッタはロール状であり、前記第１カッタの周面に前記第１線状切刃が設けられると共に前記第２カッタの周面に前記第２線状切刃が設けられ、前記加圧手段は、前記第１カッタ及び前記第２カッタの軸間距離を接近させる押圧手段と、前記被穿孔物を挟んで前記第１線状切刃及び前記第２線状切刃が当接する状態で前記第１カッタ及び前記第２カッタを連動して回転させる回転手段とからなることを特徴とする。【００２４】
請求項２に係る本発明では、被穿孔物を挟んで押圧手段により第１カッタ及び第２カッタの軸間距離を接近させて加圧し、回転手段により第１カッタ及び第２カッタを連動して回転させることで、被穿孔物に対して第１線状切刃と第２線状切刃の交点が順次当接し、被穿孔物に対して連続して孔を空けることができる。【００２５】
ロール状のカッタを構成するにあたり、ロール部材の周面に切刃を直接設けたり、円盤状の切刃盤を積層して第１カッタを構成すると共に、矩形状の切刃板を円周方向に接続して第２カッタを構成することが可能である。【００２６】
また、請求項３に係る本発明の穿孔装置は、請求項２に記載の穿孔装置において、前記第１カッタの前記第１線状切刃は、周面の周方向に連続して設けられ、前記第２カッタの前記第２線状切刃は、周面の軸方向に延びて設けられていることを特徴とする。また、請求項４に係る本発明の穿孔装置は、請求項３に記載の穿孔装置において、前記第１線状切刃は、軸方向に複数設けられ、前記第２線状切刃は、周方向に複数設けられていることを特徴とする。【００２７】
請求項３及び請求項４に係る本発明では、周方向に連続する第１線状切刃を備えた第１カッタ及び軸方向に延びる第２線状切刃を備えた第２カッタを用いることができる。【００２８】
また、請求項５に係る本発明の穿孔装置は、請求項１に記載の穿孔装置において、前記第１カッタには前記第１線状切刃が平面状に設けられると共に、前記第２カッタには前記第２線状切刃が平面状に設けられ、前記加圧手段は、前記第１線状切刃及び前記第２線状切刃の距離を接近させるように前記第１カッタ及び前記第２カッタを相対的に移動させる押圧手段からなることを特徴とする。【００２９】
請求項５に係る本発明では、押圧手段により第１カッタ及び第２カッタを接近させることにより、平面状の被穿孔物に孔を空けることができる。線状切刃は、カッタの平面部に直接形成したり、矩形状の切刃板を多数積層して構成することができる。【００３０】
また、請求項６に係る本発明の穿孔装置は、請求項１に記載の穿孔装置において、前記第１カッタには、前記第１線状切刃が３次元形状の凹状に設けられ、前記第２カッタには、前記第１線状切刃の凹状に対応した３次元形状の凸状に設けられ、前記加圧手段は、前記第１線状切刃及び前記第２線状切刃の距離を接近させるように前記第１カッタ及び前記第２カッタを相対的に移動させる押圧手段からなることを特徴とする。【００３１】
請求項６に係る本発明では、押圧手段により第１カッタ及び第２カッタを接近させることにより、３次元形状の被穿孔物に孔を空けることができる。線状切刃は、カッタの凹凸面に直接形成したり、曲線状の切刃を有する切刃板を多数積層して凹凸状に構成することができる。【００３２】
上記目的を達成するための請求項７に係る本発明の穿孔方法は、互いに交差する線状切刃の間に被穿孔物を挟み、線状切刃の交点を前記被穿孔物に当接させて孔を形成することを特徴とする。【００３３】
請求項７に係る本発明では、線状切刃の交点を被穿孔物に当接させることで被穿孔物に孔を空けることができる。【００３４】
上述した穿孔装置及び穿孔方法は、一時の圧縮変形ではなく、点状の剪断加工であって、被穿孔物が弾性体のシートであっても、空けられた孔の形状に経時的変化が殆どない。  また、孔空け力の伝播、即ち、被穿孔物の破壊のプロセスが、被穿孔物の表裏面から同時に内部に向けて開始され、被穿孔物の断面中央部に到達して完了する。このため、加工が表と裏から対称に実施され、穿孔部位の表裏面の状態が等しくなり、穿孔部位が凹凸のない略平面となる。また、常温での孔空けが可能となるため、熱熔融による固着や有害ガスの発生をなくすことができる。【００３５】
上記目的を達成するための請求項８に係る本発明の被穿孔物は、請求項１から請求項６のいずれか一項に記載の穿孔装置により孔が形成されたことを特徴とする。【００３６】
上記目的を達成するための請求項９に係る本発明の被穿孔物は、シート材の表面及び裏面に、互いに交差する方向に延びる刃跡が形成され、前記刃跡の交点が穿孔されていることを特徴とする。
【発明の効果】
【００３７】
本発明の穿孔装置及び穿孔方法は、孔の状態の経時変化が抑制され、表裏ともに凹凸なく平滑に、加工熱による孔の周囲の変質や溶融固着が生じることがなく、有害ガスを発生させることなく、被穿孔物に対して穿孔を施すことが可能になる。【００３８】
また、本発明の被穿孔物は、孔の状態の経時変化が抑制され、表裏ともに凹凸なく平滑に、加工熱による孔の周囲の変質や溶融固着が生じることがなく、有害ガスを発生させることなく、穿孔が施されたものとすることが可能になる。
【図面の簡単な説明】
【００３９】
【図１】本発明の第１実施例に係る穿孔装置の外観図である。
【図２】図１中の要部説明図である。
【図３】穿孔部の断面図である。
【図４】シートの外観図である。
【図５】孔の形状が異なるシートの外観図である。
【図６】本発明の第２実施例に係る穿孔装置のカッタの外観図である。
【図７】加工状況の説明図である。
【図８】本発明の第３実施例に係る穿孔装置のカッタの外観図である。
【図９】加工状況の説明図である。
【図１０】凹状ワークの外観図である。
【発明を実施するための形態】
【００４０】
図１から図４に基づいて本発明の穿孔装置の第１実施例を説明する。
【００４１】
図１には本発明の第１実施例に係る穿孔装置の全体を表す外観、図２にはシートに孔を空けている状態の外観、図３には穿孔部の断面、図４（ａ）には孔が空けられたシートの外観を示してある。
【００４２】
図１に示すように、穿孔装置１は、第１カッタである上ロール状カッタ２と第２カッタである下ロール状カッタ３が備えられている。上ロール状カッタ２の軸端には軸受け１１が設けられると共に、下ロール状カッタ３の軸端には軸受け１２が設けられている。上ロール状カッタ２及び下ロール状カッタ３は軸受け１１、１２を介してフレーム１３に支持されている。
【００４３】
上ロール状カッタ２の軸端には軸受け１１を下方に押圧する加圧手段としての押圧手段１４が備えられ、押圧手段１４により上ロール状カッタ２を下方に押圧することで上ロール状カッタ２と下ロール状カッタ３の軸間距離を接近させる。
【００４４】
また、上ロール状カッタ２を回転させる加圧手段としての回転手段１５が設けられている。上ロール状カッタ２を下ロール状カッタ３に押圧している状態で回転手段１５により上ロール状カッタ２を回転させることにより、上ロール状カッタ２と下ロール状カッタ３とが連動して回転する。
【００４５】
上ロール状カッタ２の周面には第１線状切刃４が設けられ、下ロール状カッタ３の周面には第２線状切刃５が設けられている。第１線状切刃４は、上ロール状カッタ２の周面の周方向に連続して設けられ、上ロール状カッタ２の軸方向に複数設けられている。第２線状切刃５は、下ロール状カッタ３の周面の軸方向に連続して設けられ、下ロール状カッタ３の周方向に複数設けられている。
【００４６】
図１、図２に示すように、上ロール状カッタ２と下ロール状カッタ３の間に被穿孔物であるシート１０を介在させ、上ロール状カッタ２を下方に押圧することで上ロール状カッタ２と下ロール状カッタ３の軸間距離が接近する。第１線状切刃４及び第２線状切刃５が直交する状態で（交差する状態で）シート１０を挟んで上ロール状カッタ２と下ロール状カッタ３が対向し、第１線状切刃４及び第２線状切刃５がシート１０に当接する。
【００４７】
この場合、第１線状切刃４及び第２線状切刃５が互いに当接するように加圧されたり、シート１０の厚さ等により第１線状切刃４及び第２線状切刃５が互いに隙間（逃げ）を持った状態で加圧される。
【００４８】
上ロール状カッタ２と下ロール状カッタ３の間にシート１０を挟み、押圧手段１４により上ロール状カッタ２と下ロール状カッタ３の軸間距離を接近させることで、図３に示すように、第１線状切刃４及び第２線状切刃５が直交してシート１０に当接する。この状態で回転手段１５により上ロール状カッタ２と下ロール状カッタ３を連動して回転させることにより、第１線状切刃４及び第２線状切刃５が交差する部位のシート１０が連続して加圧される。
【００４９】
これにより、図３、図４（ａ）に示すように、第１線状切刃４及び第２線状切刃５の交差する部位のシート１０に孔９が連続して空けられる。このため、孔９の形状の経時変化が抑制され、表裏ともに凹凸なく平滑に、加工熱による孔の周囲の変質や溶融固着が生じることがなく、有害ガスを発生させることなく、シート１０に対して穿孔を施すことができる。
【００５０】
図４（ｂ）にはシート１０の表面の外観、図４（ｃ）にはシート１０の裏面の外観を示してある。
【００５１】
図に示すように、本発明の被穿孔物としてのシート１０は、シート１０の送り方向に延びる刃跡４ｂが表面１０ｂに形成され、シート１０の送り方向に交差（直交）する方向に延びる刃跡４ｃが裏面１０ｃに形成されている。そして、刃跡４ｂと刃跡４ｃの交点が穿孔されて孔９が空けられている。
【００５２】
第１線状切刃４及び第２線状切刃５は、針先のような点状態の刃が連続したものであり、連続する方向は直線状でも曲線状でもよく、任意の方向に連続したものを適用することができる。また、第１線状切刃４及び第２線状切刃５は、断面が鋭角状の刃物及び断面が凸状にされたものを含み、シート１０に当接することで切刃に加圧力が集中する形状が含まれる。
【００５３】
シート１０に空けられる孔９は、それ自体の形状が円形であるものに限らず、方形等種々の形状が含まれる。
【００５４】
異なる形状の孔が形成されたシート１０の実施例を説明する。図５には他の形状の孔を説明するシート１０の外観を示してある。図５に示した形状は、第１線状切刃４及び第２線状切刃５の刃先の形状を調整することで得ることができる。
【００５５】
図５（ａ）に示した孔５１は、シート１０の送り方向に長い十字星型の形状となっている。図５（ｂ）に示した孔６１は、シート１０の送り方向に直交する方向に長い十字星型の形状となっている。図５（ｃ）に示した孔７１は、十字状の切込みが形成された形状となっており、そのままでは開口していない状態で、引っ張り力が生じた際に開口される孔となっている。
【００５６】
第１線状切刃４及び第２線状切刃５の交差角度は、直交をはじめとして任意の交差角度に設定することができる。交差角度を変更することにより、例えば、図５（ａ）、図５（ｂ）、図５（ｃ）に示した孔の角度を変更することができる。また、孔９の密度に応じて所定数の第１線状切刃４及び第２線状切刃５を設けることができ、第１線状切刃４及び第２線状切刃５を断続的に連続させることも可能である。
【００５７】
また、第１線状切刃４及び第２線状切刃５の幅は同一もしくは異なる幅のいずれも適用することができる。また、第１線状切刃４及び第２線状切刃５をシート１０に当接させる際に、シート１０の材質や空けられる孔９の目的により第１線状切刃４及び第２線状切刃５を加熱することもできる。
【００５８】
シート１０としては、紙・繊維、プラスチックフィルム、金属箔等の単体、または、それらの積層加工物を適用することが可能である。また、孔の大きさは、径（円形以外の孔の場合は孔の周囲の径）が１０００μｍ以下の細孔を規則的に、もしくは、不規則に穿設した穿孔シートや有孔シートの穿孔に適用することができる。
【００５９】
上述した穿孔装置１による穿孔方法は、一時の圧縮変形ではなく、第１線状切刃４及び第２線状切刃による点状の剪断加工であるので、シート１０が弾性体であっても、空けられた孔９の形状に経時的変化が殆どない。 また、孔空け力の伝播、即ち、シート１０の破壊のプロセスが、シート１０の表裏面から同時に内部に向けて開始され、シート１０の断面中央部に到達して完了する。このため、加工が表と裏から対称に実施され、表裏面の孔９の状態が等しくなり、凹凸がない略平面の孔９を形成することができる。また、常温での孔空けが可能となるため、熱熔融による固着や有害ガスの発生をなくすことができる。
【００６０】
従って、孔９の状態の経時変化が抑制され、表裏ともに凹凸なく平滑に、加工熱による孔の周囲の変質や溶融固着が生じることがなく、有害ガスを発生させることなく、シート１０に対して孔９を空けることが可能になる。
【００６１】
図６、図７に基づいて本発明の第２実施例を説明する。
【００６２】
図６（ａ）には本発明の第２実施例に係る穿孔装置の第１カッタを下面側から見た外観、図６（ｂ）には本発明の第２実施例に係る穿孔装置の第２カッタを上面側から見た外観、図７には穿孔を実施している状態の外観を示してある。
【００６３】
図６（ａ）に示すように、矩形ブロック状の第１カッタブロック２１（第１カッタ）の下面には平面部２２が形成され、平面部２２には一方向（図中左右方向）に延びる第１線状切刃２３が互いに平行に複数本設けられている。図６（ｂ）に示すように、矩形ブロック状の第２カッタブロック２５（第２カッタ）の上面には平面部２６が形成され、平面部２６には他方向（図中上下方向）に延びる第２線状切刃２７が互いに平行に複数本設けられている。
【００６４】
図７に示すように、第１カッタブロック２１の下面と第２カッタブロック２５の上面が対向して配され、第１カッタブロック２１には押圧手段２８が設けられている。押圧手段２８により第１カッタブロック２１が第２カッタブロック２５側に押圧され、第１線状切刃２３及び第２線状切刃２７が互いに直交する状態で距離が接近して被穿孔物としてのシート３０に当接する。
【００６５】
尚、第１線状切刃２３及び第２線状切刃２７は直線状でも曲線状でも適用が可能であり、また、延びる方向は任意であり、互いに交差した状態で当接するように第１線状切刃２３及び第２線状切刃２７が形成されていればよい。また、前述同様に、第１線状切刃２３及び第２線状切刃２７が互いに当接するように加圧されたり、シート３０の厚さ等により第１線状切刃２３及び第２線状切刃２７が互いに隙間（逃げ）を持った状態で加圧される。
【００６６】
図示の穿孔装置２４では、第１カッタブロック２１と第２カッタブロック２５の間にシート３０を配し、押圧手段２８により第１カッタブロック２１を第２カッタブロック２５側に押圧する。これにより、第１線状切刃２３と第２線状切刃２７の交差する部位がシート３０に当接し、シート３０に孔２９が空けられる。
【００６７】
従って、孔２９の状態の経時変化が抑制され、表裏ともに凹凸なく平滑に、加工熱による孔の周囲の変質や溶融固着が生じることがなく、有害ガスを発生させることなく、一枚のシート３０に対して孔２９を空けることが可能になる。
【００６８】
上述した実施例では、カッタブロックの平面部に線状切刃を設けた例を挙げて説明したが、矩形状の切刃板を多数積層して一つのカッタブロックを構成することも可能である。また、カッタブロックを図中上下方向に相対的に移動させて孔を空ける例を挙げて説明したが、図中左右方向にカッタブロックを相対的に移動させて孔を空けることも可能である。
【００６９】
図８〜図１０に基づいて本発明の第３実施例を説明する。
【００７０】
図８（ａ）には本発明の第３実施例に係る穿孔装置の第２カッタを下面側から見た外観、図８（ｂ）には本発明の第３実施例に係る穿孔装置の第１カッタを上面側から見た外観、図９には穿孔を実施している状態の外観、図１０には孔が空けられたワークの外観を示してある。
【００７１】
図８（ａ）に示すように、第２カッタ３１には３次元形状の楕円凸状（楕円椀状の凸型）の凸部３２が設けられ、凸部３２には楕円の長円方向（図中左右方向）に延びる第２線状切刃３３が互いに平行に複数本設けられている。図８（ｂ）に示すように、第１カッタ３５には３次元形状の楕円凹状（楕円椀状の凹型）の凹部３６が設けられ、凹部３６は第１カッタ３１の凸部３２の形状に対応した形状となっている。第１カッタ３５の凹部３６には短円方（図中上下方向）に延びる第１線状切刃３７が互いに平行に複数本設けられている。
【００７２】
図９に示すように、第２カッタ３１の凸部３２と第１カッタ３５の凹部３６が対向して配され、第２カッタ３１には押圧手段３８が設けられている。押圧手段３８により第２カッタ３１が第１カッタ３５側に押圧され、凹部３６に凸部３２が嵌合して第２線状切刃３３及び第１線状切刃３７が互いに直交する状態で距離が接近して当接する。
【００７３】
尚、凸部３２及び凹部３６の形状は楕円凸状及び楕円凹状に限らず任意の３次元形状に構成することが可能である。また、第２線状切刃３３及び第１線状切刃３７は直線状でも曲線状でも適用が可能であり、また、延びる方向は任意であり、互いに交差した状態で当接するように第２線状切刃３３及び第１線状切刃３７が形成されていればよい。また、押圧手段３８を第１カッタ３５に設け、第１カッタ３５を第２カッタ３１側に移動させることも可能である。
【００７４】
図示の穿孔装置３４では、第２カッタ３１と第１カッタ３５の間に椀型の被穿孔物としてのワーク４０（例えば薄い樹脂製等：図１０参照）を配し、押圧手段３８により第２カッタ３１を第１カッタ３５側に押圧する。これにより、第２線状切刃３３と第１線状切刃３７の交差する部位がワーク４０に当接し、図１０に示すように、椀型のワーク４０に孔３９が空けられる。
【００７５】
従って、孔３９の状態の経時変化が抑制され、表裏ともに凹凸なく平滑に、加工熱による孔の周囲の変質や溶融固着が生じることがなく、有害ガスを発生させることなく、３次元形状の椀型のワーク４０に対して孔３９を空けることが可能になる。
【００７６】
上述した実施例では、凹凸部に線状切刃を設けた例を挙げて説明したが、曲線状の切部を有する切刃板を多数積層して一つのカッタを構成することも可能である。また、カッタを図中上下方向に相対的に移動させて孔を空ける例を挙げて説明したが、図中左右方向にカッタを相対的に移動させて孔を空けることも可能である。
【００７７】
上述したように、本発明の穿孔装置及び穿孔方法は、孔の状態の経時変化が抑制され、表裏ともに凹凸なく平滑に、加工熱による孔の周囲の変質や溶融固着が生じることがなく、有害ガスを発生させることなく、被穿孔物に対して穿孔を施すことが可能になる。また、本発明の被穿孔物であるシート１０、３０、ワーク４０は、孔の状態の経時変化が抑制され、表裏ともに凹凸なく平滑に、加工熱による孔の周囲の変質や溶融固着が生じることがなく、有害ガスが発生しない状態で穿孔が施される。
【産業上の利用可能性】
【００７８】
本発明は、被穿孔物（シート等）に細孔を穿設する穿孔装置及び穿孔方法の産業分野で利用することができる。また、本発明は、細孔が穿設された被穿孔物の産業分野で利用することができる。
【符号の説明】
【００７９】
１、２４、３４  穿孔装置
２  上ロール状カッタ
３  下ロール状カッタ
４、２３、３７  第１線状切刃
５、２７、３３  第２線状切刃
９、２９、３９  孔
１０、３０  シート  
１１、１２  軸受け
１３  フレーム
１４、２８、３８  押圧手段
１５  回転手段
２１  第１カッタブロック
２２、２６  平面部
２５  第２カッタブロック
３１  第２カッタ
３２  凸部
３５  第１カッタ
３６  凹部
４０  ワーク
【図１】
2012096020.tif 000003
【図２】
2012096020.tif 000004
【図３】
2012096020.tif 000005
【図４】
2012096020.tif 000006
【図５】
2012096020.tif 000007
【図６】
2012096020.tif 000008
【図７】
2012096020.tif 000009
【図８】
2012096020.tif 000010
【図９】
2012096020.tif 000011
【図１０】
2012096020.tif 000012
【国際調査報告】
2012096020.tif 000013
2012096020.tif 000014
2012096020.tif 000015
2012096020.tif 000016